(57)【要約】【課題】固体光源の光出力の変化を低減できる表示装置、それを備えるスイッチ装置、及びスイッチシステムを提供する。【解決手段】表示装置１は、一対の接続端子部１１，１２と、抵抗器１３，１４と、発光ダイオード１５と、ツェナーダイオード１６と、を備える。交流電源５と負荷６とに電気的に直列に接続される双方向スイッチ３１のオフ時に、一対の接続端子部１１，１２に所定電圧が印加される。一対の接続端子部１１，１２の間には、抵抗器１３と発光ダイオード１５と抵抗器１４との直列回路が電気的に接続されている。ツェナーダイオード１６は、抵抗器１４と発光ダイオード１５との直列回路と電気的に並列に接続されている。【選択図】図１
2018107052.tif 000002
【特許請求の範囲】
【請求項１】
交流電源と負荷とに電気的に直列に接続されるスイッチのオフ時に所定電圧が印加される一対の接続端子部と、
前記一対の接続端子部の間に電気的に接続される第１抵抗要素、第２抵抗要素、及び固体光源の直列回路と、
前記第２抵抗要素及び前記固体光源の直列回路と電気的に並列に接続されるツェナーダイオードと、を備える
ことを特徴とする表示装置。
【請求項２】
前記固体光源は発光ダイオードであり、
前記ツェナーダイオードのアノードが、前記発光ダイオードのカソードと電気的に接続される
ことを特徴とする請求項１に記載の表示装置。
【請求項３】
前記所定電圧は、前記第２抵抗要素及び前記固体光源の直列回路に、前記ツェナーダイオードのツェナー電圧よりも高い電圧が印加されるような電圧値である
ことを特徴とする請求項１又は２に記載の表示装置。
【請求項４】
前記ツェナーダイオードと電気的に並列に接続される容量素子を、更に備える
ことを特徴とする請求項１〜３のいずれかに記載の表示装置。
【請求項５】
前記第２抵抗要素及び前記固体光源の直列回路に前記ツェナーダイオードのツェナー電圧よりも高い電圧が印加されるように、前記第１抵抗要素と前記第２抵抗要素との抵抗比が設定される
ことを特徴とする請求項１〜４のいずれかに記載の表示装置。
【請求項６】
前記固体光源に流れる電流の電流値が、前記ツェナーダイオードのツェナー電圧と前記第２抵抗要素の抵抗値とで設定される
ことを特徴とする請求項５に記載の表示装置。
【請求項７】
請求項１〜６のいずれかに記載の表示装置と、前記スイッチとを備え、
前記スイッチの両端が前記一対の接続端子部に電気的に接続されており、
前記負荷の停止時に前記固体光源が点灯する
ことを特徴とするスイッチ装置。
【請求項８】
請求項１〜６のいずれかに記載の表示装置を備えた子器と、前記交流電源と前記負荷とに電気的に直列に接続される前記スイッチを備えた親器と、を含み、
前記親器は、前記一対の接続端子部に電気的に接続されて前記スイッチのオフ時に前記一対の接続端子部に前記所定電圧を印加する子器駆動回路を備える
ことを特徴とするスイッチシステム。
【発明の詳細な説明】
【技術分野】
【０００１】
本発明は、表示装置、それを備えるスイッチ装置、及びスイッチシステムに関し、特に、負荷の停止時に点灯する表示装置、それを備えるスイッチ装置、及びスイッチシステムに関する。
【背景技術】
【０００２】
従来、照明負荷を調光する調光装置が知られている（例えば、特許文献１）。
【０００３】
特許文献１に記載された調光装置は、一対の端子と、制御回路部と、制御回路部に制御電源を供給するスイッチング電源と、照明負荷の調光レベルを設定する調光操作部とを備えている。
【０００４】
一対の端子間には、制御回路部及びスイッチング電源それぞれが並列に接続されている。また、一対の端子間には、交流電源と照明負荷との直列回路が接続される。照明負荷は、複数のＬＥＤ（Light Emitting Diode）素子と、各ＬＥＤ素子を点灯させる電源回路とを備えている。電源回路は、ダイオードと電解コンデンサとの平滑回路を備えている。
【０００５】
制御回路部は、照明負荷に供給する交流電圧を位相制御するスイッチ部と、スイッチ部を駆動するスイッチドライブ部と、スイッチドライブ部及びスイッチング電源を制御する制御部と、を備えている。
【０００６】
スイッチング電源は、スイッチ部に並列に接続されている。スイッチング電源は、交流電源の交流電圧を制御電源に変換する。スイッチング電源は、制御電源を蓄積する電解コンデンサを備えている。
【０００７】
制御部は、スイッチング電源から電解コンデンサを通じて制御電源が供給される。制御部は、マイクロコンピュータを備えている。マイクロコンピュータは、調光操作部で設定された調光レベルに応じて、交流電圧の半サイクル毎の期間途中で、照明負荷への給電を遮断する逆位相制御を行う。
【０００８】
また、この調光装置は、照明負荷のオフ時、つまり消灯時に点灯する表示部を備えている。
【先行技術文献】
【特許文献】
【０００９】
【特許文献１】特開２０１６−４７１７号公報
【発明の概要】
【発明が解決しようとする課題】
【００１０】
特許文献１に記載の調光装置では、照明負荷のオフ時に表示部が点灯するのであるが、制御回路部、スイッチング電源などの動作によって表示部に印加される電圧が変動する可能性があり、それによって表示部（固体光源）の出力光の明るさが揺らぐ可能性があった。
【００１１】
本発明の目的は、固体光源の光出力の変化を低減できる表示装置、それを備えるスイッチ装置、及びスイッチシステムを提供することにある。
【課題を解決するための手段】
【００１２】
本発明の一態様の表示装置は、一対の接続端子部と、第１抵抗要素、第２抵抗要素、及び固体光源の直列回路と、ツェナーダイオードと、を備える。前記一対の接続端子部には、交流電源と負荷とに電気的に直列に接続されるスイッチのオフ時に所定電圧が印加される。前記第１抵抗要素、前記第２抵抗要素、及び前記固体光源の直列回路は、前記一対の接続端子部の間に電気的に接続される。前記ツェナーダイオードは、前記第２抵抗要素及び前記固体光源の直列回路と電気的に並列に接続される。
【００１３】
本発明の一態様のスイッチ装置は、前記表示装置と、前記スイッチとを備える。前記スイッチの両端が前記一対の接続端子部に電気的に接続されており、前記負荷の停止時に前記固体光源が点灯する。
【００１４】
本発明の一態様のスイッチシステムは、前記表示装置を備えた子器と、前記交流電源と前記負荷とに電気的に直列に接続される前記スイッチを備えた親器と、を含む。前記親器は、前記一対の接続端子部に電気的に接続されて前記スイッチのオフ時に前記一対の接続端子部に前記所定電圧を印加する子器駆動回路を備える。
【発明の効果】
【００１５】
本発明によれば、固体光源の光出力の変化を低減できる表示装置、それを備えるスイッチ装置、及びスイッチシステムを提供することができる。
【図面の簡単な説明】
【００１６】
【図１】図１は、実施形態１に係るスイッチシステムの回路図である。
【図２】図２は、実施形態２に係る表示装置を用いたスイッチシステムの回路図である。
【図３】図３は、実施形態３に係るスイッチ装置を用いたスイッチシステムの回路図である。
【図４】図４は、同上の変形例に係るスイッチ装置を用いたスイッチシステムの回路図である。
【発明を実施するための形態】
【００１７】
以下に説明する実施形態は、本発明の種々の実施形態の一つに過ぎない。本発明の実施形態は、下記実施形態に限定されることはなく、この実施形態以外も含み得る。また、下記の実施形態は、本発明に係る技術的思想を逸脱しない範囲であれば、設計等に応じて種々の変更が可能である。
【００１８】
（１）実施形態１
実施形態１に係るスイッチシステムを図１に基づいて説明する。
【００１９】
（１．１）概要
本実施形態のスイッチシステム１００は、表示装置１を備えた子器２と、親器である負荷制御装置３とを含む。負荷制御装置３は、交流電源５と負荷６とに電気的に直列に接続される双方向スイッチ３１を備えている。負荷制御装置３は、インタフェース部３３が受け付けたユーザの操作に応じて双方向スイッチ３１のオン／オフを制御する。また、負荷制御装置３は、子器２から入力される信号に基づいて、子器２が備えるインタフェース部２３のユーザによる操作の有無を検出し、ユーザの操作に応じて双方向スイッチ３１のオン／オフを制御する。したがって、負荷制御装置３は、負荷制御装置３又は子器２でのユーザによる操作の有無に応じて双方向スイッチ３１のオン／オフを制御する。子器２の表示装置１は発光ダイオード１５を備えており、表示装置１は双方向スイッチ３１のオフ時、すなわち負荷６の停止時に発光ダイオード１５を点灯させるように構成されている。ここにおいて、「接続」とは、電気的に導通した状態の接続を意味し、直接的な接続だけではなく、例えば電線などの導体を介した間接的な接続も含む。
【００２０】
（１．２）構成
（１．２．１）子器の構成
子器２は、入力端子Ｔ２１，Ｔ２２，Ｔ２３と、表示装置１と、接点２１と、ダイオード２２と、インタフェース部２３と、駆動回路２４とを備えている。表示装置１は、一対の接続端子部１１，１２と、抵抗器（第１抵抗要素）１３と、抵抗器（第２抵抗要素）１４と、発光ダイオード（固体光源）１５と、ツェナーダイオード１６と、を備えている。また、本実施形態の表示装置１は、コンデンサ（容量素子）１７と、ダイオード１８と、を更に備えている。ここでいう「接続端子部」は、電線等を接続するための部品（端子）でなくてもよく、例えば電子部品のリードや、回路基板に含まれる導体の一部であってもよい。
【００２１】
子器２の入力端子Ｔ２１と負荷制御装置３の入力端子Ｔ３１との間には、交流電源５と負荷６とが電気的に直列に接続されている。子器２の入力端子Ｔ２２，Ｔ２３は、負荷制御装置３の入力端子Ｔ３２，Ｔ３３にそれぞれ電気的に接続されている。負荷制御装置３の双方向スイッチ３１は入力端子Ｔ３１，Ｔ３２間に電気的に接続されている。
【００２２】
子器２において入力端子Ｔ２１と入力端子Ｔ２２との間は電気的に接続されている。子器２の入力端子Ｔ２１と入力端子Ｔ２２の間には交流電源５と負荷６と双方向スイッチ３１とが電気的に直列に接続されている。したがって、負荷制御装置３の双方向スイッチ３１は、子器２を介して交流電源５と負荷６とに電気的に直列に接続されている。
【００２３】
子器２において入力端子Ｔ２１と入力端子Ｔ２３との間には、入力端子Ｔ２１にダイオード２２のカソードが接続されるように、接点２１とダイオード２２とが電気的に直列に接続されている。インタフェース部２３はユーザによる操作を受け付ける。本実施形態では一例として、インタフェース部２３は、ユーザのタッチ操作（例えばタップ、スワイプなどの操作）を受け付けるタッチセンサを有している。駆動回路２４は、インタフェース部２３がユーザによるタッチ操作を検知している間、接点２１をオンにする。なお、インタフェース部２３は、ユーザによる操作を検知できればよく、ユーザの操作に応じて抵抗値が変化する可変抵抗器、ユーザの操作に応じて接点が切り替えられるロータリスイッチ等であってもよい。さらに、インタフェース部２３は、リモートコントローラ、又はスマートフォン等の通信端末からの信号を受信する受信部にて構成されていてもよい。
【００２４】
また、入力端子Ｔ２１は表示装置１の接続端子部１１に電気的に接続され、入力端子Ｔ２３は表示装置１の接続端子部１２に電気的に接続されている。接続端子部１１と接続端子部１２との間には、ダイオード１８と抵抗器１４と発光ダイオード１５と抵抗器１３とが電気的に直列に接続されている。ここで、ダイオード１８のアノードは接続端子部１１（つまり入力端子Ｔ２１）に電気的に接続されている。ダイオード１８のカソードは抵抗器１４を介して発光ダイオード１５のアノードに電気的に接続されている。発光ダイオード１５のカソードは抵抗器１３を介して接続端子部１２（つまり入力端子Ｔ２３）に電気的に接続されている。すなわち、発光ダイオード１５とダイオード１８とは接続端子部１１から接続端子部１２に電流を流す向きに接続されている。
【００２５】
ツェナーダイオード１６は、抵抗器１４及び発光ダイオード１５の直列回路と電気的に並列に接続されている。ここで、ツェナーダイオード１６のアノードは、発光ダイオード１５のカソードに電気的に接続されている。
【００２６】
また、コンデンサ１７はツェナーダイオード１６と電気的に並列に接続されている。
【００２７】
（１．２．２）負荷制御装置（親器）の構成
本実施形態に係る負荷制御装置３は、図１に示すように、交流電源５に対して負荷６と電気的に直列に接続される双方向スイッチ３１を備えている。負荷制御装置３は、交流電源５から負荷６に供給される交流電圧Ｖａｃを、双方向スイッチ３１にて位相制御する。ここでいう「位相制御」は、交流電圧Ｖａｃの半周期毎における負荷６への通電を開始又は終了する位相角（導通角）を変化させることにより、負荷６に供給（印加）される交流電圧Ｖａｃを制御する方式を意味する。つまり、負荷制御装置３は、負荷６に供給される交流電圧Ｖａｃを位相制御することにより、例えば、照明負荷、ヒータ、又はファン等の負荷６を制御する。
【００２８】
本実施形態では一例として、負荷６が、複数のＬＥＤ素子と、複数のＬＥＤ素子を点灯させる電源回路と、を備える照明負荷である場合について説明する。すなわち、負荷制御装置３は、位相制御により、照明負荷からなる負荷６の光出力の大きさを調節する調光装置を構成する。交流電源５は、例えば、単相１００〔Ｖ〕、６０〔Ｈｚ〕の商用電源である。負荷制御装置３は、一例として壁スイッチ等に適用可能である。
【００２９】
本実施形態に係る負荷制御装置３は、図１に示すように、入力端子Ｔ３１，Ｔ３２，Ｔ３３、双方向スイッチ３１、位相検出部３２、インタフェース部３３、電源部３４、制御回路３５、スイッチ駆動部３６、信号検出部３７、子器駆動回路３８、及びダイオードＤ１，Ｄ２を備えている。ここでいう「入力端子」は、電線等を接続するための部品（端子）でなくてもよく、例えば電子部品のリードや、回路基板に含まれる導体の一部であってもよい。
【００３０】
双方向スイッチ３１は、例えば、入力端子Ｔ３１，Ｔ３２間に電気的に直列に接続された第１のスイッチ素子Ｑ１及び第２のスイッチ素子Ｑ２の２個の素子からなる。例えば、スイッチ素子Ｑ１，Ｑ２の各々は、エンハンスメント形のｎチャネルＭＯＳＦＥＴ（Metal-Oxide-Semiconductor Field Effect Transistor）からなる半導体スイッチ素子である。
【００３１】
スイッチ素子Ｑ１，Ｑ２は、入力端子Ｔ３１，Ｔ３２間において、いわゆる逆直列に接続されている。つまり、スイッチ素子Ｑ１，Ｑ２はソース同士が互いに接続されている。スイッチ素子Ｑ１のドレインは入力端子Ｔ３１に接続され、スイッチ素子Ｑ２のドレインは入力端子Ｔ３２に接続されている。両スイッチ素子Ｑ１，Ｑ２のソースは、電源部３４のグランドに接続されている。電源部３４のグランドは、負荷制御装置３の内部回路にとって基準電位となる。
【００３２】
双方向スイッチ３１は、スイッチ素子Ｑ１，Ｑ２のオン、オフの組み合わせにより、４つの状態を切替可能である。４つの状態には、両スイッチ素子Ｑ１，Ｑ２が共にオフである双方向オフ状態と、両スイッチ素子Ｑ１，Ｑ２が共にオンである双方向オン状態と、スイッチ素子Ｑ１，Ｑ２の一方のみがオンである２種類の一方向オン状態とがある。一方向オン状態では、スイッチ素子Ｑ１，Ｑ２のうち、オンの方のスイッチ素子から、オフの方のスイッチ素子の寄生ダイオードを通して一対の入力端子Ｔ３１，Ｔ３２間が一方向に導通することになる。例えば、スイッチ素子Ｑ１がオン、スイッチ素子Ｑ２がオフの状態では、入力端子Ｔ３１から入力端子Ｔ３２に向けて電流を流す第１の一方向オン状態となる。また、スイッチ素子Ｑ２がオン、スイッチ素子Ｑ１がオフの状態では、入力端子Ｔ３２から入力端子Ｔ３１に向けて電流を流す第２の一方向オン状態となる。そのため、入力端子Ｔ３１，Ｔ３２間に交流電源５から交流電圧Ｖａｃが印加される場合、交流電圧Ｖａｃの正極性、つまり入力端子Ｔ３１が正極の半周期においては、第１の一方向オン状態が「順方向オン状態」、第２の一方向オン状態が「逆方向オン状態」となる。一方、交流電圧Ｖａｃの負極性、つまり入力端子Ｔ３２が正極の半周期においては、第２の一方向オン状態が「順方向オン状態」、第１の一方向オン状態が「逆方向オン状態」となる。
【００３３】
ここで、双方向スイッチ３１は、「双方向オン状態」及び「順方向オン状態」の両状態が導通状態であり、「双方向オフ状態」及び「逆方向オン状態」の両状態が非導通状態である。
【００３４】
位相検出部３２は、入力端子Ｔ３１，Ｔ３２間に印加される交流電圧Ｖａｃの位相を検出する。ここでいう「位相」には、交流電圧Ｖａｃのゼロクロス点、交流電圧Ｖａｃの極性（正極性、負極性）を含んでいる。位相検出部３２は、交流電圧Ｖａｃのゼロクロス点を検出すると検出信号を制御回路３５に出力するように構成されている。位相検出部３２は、ダイオードＤ３１と、第１検出部３２１と、ダイオードＤ３２と、第２検出部３２２と、を有している。第１検出部３２１は、ダイオードＤ３１を介して入力端子Ｔ３１に電気的に接続されている。第２検出部３２２は、ダイオードＤ３２を介して入力端子Ｔ３２に電気的に接続されている。第１検出部３２１は、交流電圧Ｖａｃが負極性の半周期から正極性の半周期に移行する際のゼロクロス点を検出する。第２検出部３２２は、交流電圧Ｖａｃが正極性の半周期から負極性の半周期に移行する際のゼロクロス点を検出する。
【００３５】
すなわち、第１検出部３２１は、入力端子Ｔ３１を正極とする電圧が規定値未満の状態から規定値以上の状態に移行したことを検出すると、ゼロクロス点と判断し、第１検出信号ＺＣ１を制御回路３５に出力する。同様に、第２検出部３２２は、入力端子Ｔ３２を正極とする電圧が規定値未満の状態から規定値以上の状態に移行したことを検出すると、ゼロクロス点と判断し、第２検出信号ＺＣ２を制御回路３５に出力する。規定値は０〔Ｖ〕付近に設定された値（絶対値）である。例えば、第１検出部３２１の規定値は、数〔Ｖ〕程度であり、第２検出部３２２の規定値は、数〔Ｖ〕程度である。したがって、第１検出部３２１及び第２検出部３２２で検出されるゼロクロス点の検出点は、厳密な意味でのゼロクロス点（０〔Ｖ〕）から少し時間が遅れる。
【００３６】
インタフェース部３３は、交流電圧Ｖａｃの半周期毎における負荷６への通電を開始又は終了する位相角（導通角）を規定する入力レベルが入力される。つまり、入力レベルは、交流電圧Ｖａｃの半周期において双方向スイッチ３１が導通状態になるタイミング又は非導通状態になるタイミングを規定する。本実施形態では、負荷制御装置３は調光装置であるから、インタフェース部３３は、ユーザによる操作を受け付け、入力レベルとしての調光レベルの入力を行う。インタフェース部３３は、制御回路３５に対し調光レベルを表す調光信号を出力する。調光信号とは、負荷６の光出力の大きさを指定する数値等であって、負荷６を消灯状態とする「ＯＦＦレベル」を含む場合もある。本実施形態では一例として、インタフェース部３３は、ユーザのタッチ操作を受け付けるタッチセンサを有している。インタフェース部３３は、入力レベル（調光レベル）を表す信号を出力する構成であればよく、例えば可変抵抗器又はロータリスイッチ等であってもよい。さらに、インタフェース部３３は、リモートコントローラ、又はスマートフォン等の通信端末からの信号を受信する受信部にて構成されていてもよい。
【００３７】
また、本実施形態は、インタフェース部３３は、入力された入力レベル（調光レベル）を表示する表示部（インジケータ）を更に有している。インタフェース部３３は、例えば、複数個のＬＥＤ素子からなる表示部を含み、ＬＥＤ素子の点灯数によって入力レベルを表示する。
【００３８】
制御回路３５は、位相検出部３２からの検出信号と、インタフェース部３３及び信号検出部３７からの入力信号とに基づいて、双方向スイッチ３１を制御する。制御回路３５は、スイッチ素子Ｑ１，Ｑ２の各々を別々に制御する。具体的には、制御回路３５は、第１制御信号Ｓｂ１にてスイッチ素子Ｑ１を制御し、第２制御信号Ｓｂ２にてスイッチ素子Ｑ２を制御する。
【００３９】
制御回路３５は、例えばマイクロコンピュータを主構成として備えている。マイクロコンピュータは、マイクロコンピュータのメモリに記録されているプログラムをＣＰＵ（Central Processing Unit）で実行することにより、制御回路３５としての機能を実現する。プログラムは、予めマイクロコンピュータのメモリに記録されていてもよいし、メモリカードのような記録媒体に記録されて提供されたり、電気通信回線を通して提供されたりしてもよい。言い換えれば、上記プログラムは、コンピュータ（ここではマイクロコンピュータ）を、制御回路３５として機能させるためのプログラムである。
【００４０】
スイッチ駆動部３６は、スイッチ素子Ｑ１を駆動（オン／オフ制御）する第１駆動部３６１と、スイッチ素子Ｑ２を駆動（オン／オフ制御）する第２駆動部３６２と、を有している。第１駆動部３６１は、制御回路３５から第１制御信号Ｓｂ１を受けて、スイッチ素子Ｑ１にゲート電圧を印加する。これにより、第１駆動部３６１はスイッチ素子Ｑ１をオン／オフ制御する。同様に、第２駆動部３６２は、制御回路３５から第２制御信号Ｓｂ２を受けて、スイッチ素子Ｑ２にゲート電圧を印加する。これにより、第２駆動部３６２はスイッチ素子Ｑ２をオン／オフ制御する。第１駆動部３６１は、スイッチ素子Ｑ１のソースの電位を基準にしてゲート電圧を生成する。第２駆動部３６２も同様である。
【００４１】
電源部３４は、ダイオードＤ１を介して入力端子Ｔ３１に電気的に接続され、ダイオードＤ２を介して入力端子Ｔ３２に電気的に接続されている。これにより、ダイオードＤ１，Ｄ２と、スイッチ素子Ｑ１，Ｑ２の各々の寄生ダイオードとで構成されるダイオードブリッジにて、入力端子Ｔ３１，Ｔ３２間に印加される交流電圧Ｖａｃが全波整流されて、電源部３４に供給される。したがって、双方向スイッチ３１が非導通状態である場合、電源部３４には、全波整流された交流電圧Ｖａｃ（ダイオードブリッジから出力される脈流電圧）が印加されることになる。
【００４２】
電源部３４は、全波整流された交流電圧Ｖａｃが印加されると、スイッチ駆動部３６等を動作させるための駆動電力と、インタフェース部３３及び制御回路３５等を動作させるための制御電力とを生成する。
【００４３】
負荷６の点灯回路は、負荷制御装置３で位相制御された交流電圧Ｖａｃの波形から調光レベルを読み取り、ＬＥＤ素子の光出力の大きさを変化させる。ここで、点灯回路は、一例としてブリーダ回路などの電流確保用の回路を有している。そのため、負荷制御装置３の双方向スイッチ３１が非導通となる期間においても、負荷６に電流を流すことが可能である。
【００４４】
信号検出部３７は、子器２の接点２１のオン／オフを検知するための回路である。信号検出部３７は、入力端子Ｔ３３にカソードが電気的に接続されたダイオードＤ３と、入力端子Ｔ３２とダイオードＤ３のアノードとの間に電気的に接続された抵抗器Ｒ１と、電圧検出部３７１とを備える。
【００４５】
信号検出部３７は、抵抗器Ｒ１とダイオードＤ３との接続点Ｐ１の電圧と、所定の閾値との高低を比較することによって、接点２１のオン／オフを検出する。子器２の接点２１がオンになると、接続点Ｐ１の電圧は、負荷６のインピーダンスと抵抗器Ｒ１のインピーダンスとで交流電圧Ｖａｃを分圧した電圧となるので、接点２１のオン時とオフ時とで接続点Ｐ１の電圧が変化する。したがって、信号検出部３７は、接続点Ｐ１の電圧と所定の閾値との高低を比較することで、接点２１がオンであるかオフであるかを検出することができる。
【００４６】
子器駆動回路３８は、子器２の発光ダイオード１５を点灯又は消灯させるための回路である。子器駆動回路３８は、入力端子Ｔ３３と電源部３４のグランドとの間に電気的に接続されたダイオードＤ４とスイッチ素子Ｑ３との直列回路を備えている。ダイオードＤ４のアノードは入力端子Ｔ３３に電気的に接続されている。スイッチ素子Ｑ３は例えばＮＰＮ形のトランジスタであり、スイッチ素子Ｑ３のコレクタはダイオードＤ４のカソードに接続され、スイッチ素子Ｑ３のエミッタは電源部３４のグランドに接続されている。
【００４７】
（１．３）スイッチシステムの動作
負荷制御装置３の入力端子Ｔ３１と子器２の入力端子Ｔ２１との間に交流電源５と負荷６とが接続され、負荷制御装置３の入力端子Ｔ３２，Ｔ３３がそれぞれ子器２の入力端子Ｔ２２，Ｔ２３に接続されると、交流電圧Ｖａｃが全波整流されて電源部３４に印加される。電源部３４は、全波整流された交流電圧Ｖａｃが印加されると、スイッチ駆動部３６等を動作させるための駆動電力と、インタフェース部３３及び制御回路３５等を動作させるための制御電力とを生成する。電源部３４が制御電力をインタフェース部３３及び制御回路３５に供給すると、制御回路３５及びインタフェース部３３が起動する。また、子器２においても、子器２が内蔵する電源回路によってインタフェース部２３、駆動回路２４等を動作させるための制御電力が生成される。
【００４８】
制御回路３５が起動すると、制御回路３５は、位相検出部３２の検出信号を基に交流電源５の周波数の判定を行う。そして、制御回路３５は、判定した周波数に応じて、予めメモリに記憶されている数値テーブルを参照し、各種の時間などのパラメータの設定を行う。
【００４９】
制御回路３５は、インタフェース部３３及び信号検出部３７からの入力信号をもとに、調光レベルが「ＯＦＦレベル」であると判断すると、双方向スイッチ３１を双方向オフ状態に維持する。これにより、入力端子Ｔ３１，Ｔ３２間のインピーダンスがハイインピーダンス状態に維持されて、負荷６が消灯状態となる。
【００５０】
また、制御回路３５は、負荷６を消灯状態に制御すると、子器駆動回路３８のスイッチ素子Ｑ３をオンにする。スイッチ素子Ｑ３がオンになると、子器２の接続端子部１１，１２間には、負荷６の内部抵抗等と表示装置１の内部抵抗との比率で定まる分圧比に応じた交流電圧が印加される。接続端子部１１，１２間に印加される交流電圧は、ダイオード１８によって整流された後、抵抗器１３と抵抗器１４とで分圧され、コンデンサ１７によって平滑される。抵抗器１４と発光ダイオード１５との直列回路の両端間に発生する電圧、つまりコンデンサ１７の両端電圧がツェナーダイオード１６のツェナー電圧（例えば約５Ｖ）を超えると、ツェナーダイオード１６がオンになる。これにより、抵抗器１４と発光ダイオード１５との直列回路の両端電圧の最大値がツェナーダイオード１６のツェナー電圧（例えば５．１Ｖ）にクランプされる。そして、発光ダイオード１５には、ツェナーダイオード１６のツェナー電圧と、抵抗器１４の抵抗値とで決まる一定電流が流れ、発光ダイオード１５が発光する。
【００５１】
したがって、交流電圧Ｖａｃの１周期毎に、コンデンサ１７の両端電圧が発光ダイオード１５の順方向電圧を超える期間（以下、この期間を通電期間という。）だけ、発光ダイオード１５に電流が流れて、発光ダイオード１５が点灯する。すなわち、発光ダイオード１５は、電源電圧Ｖａｃの１周期毎に点滅するのであるが、人の目の時間分解能よりも短い周期で点滅するため、人の目には発光ダイオード１５が点滅しているとは認識されない。
【００５２】
このように、双方向スイッチ３１のオフ時には交流電圧の半周期ごとに、一対の接続端子部１１，１２に所定電圧が印加される期間がある。「所定電圧」とは、抵抗器１４と発光ダイオード１５との直列回路に、ツェナーダイオード１６のツェナー電圧よりも高い電圧が印加されるような電圧値である。接続端子部１１，１２に所定電圧が印加されると、抵抗器１４と発光ダイオード１５との直列回路に印加される電圧がツェナーダイオード１６のツェナー電圧に制限されるから、抵抗器１４と発光ダイオード１５との直列回路に印加される電圧の変化が低減される。よって、発光ダイオード１５に流れる電流の変化が低減し、発光ダイオード１５の光出力（明るさ）の変化を低減でき、またフリッカを抑制できる。
【００５３】
一方、制御回路３５は、インタフェース部３３及び信号検出部３７からの入力信号をもとに、ユーザによって入力された調光レベルの設定値を判断すると、調光レベルの設定値に応じて双方向スイッチ３１の位相制御を行う。
【００５４】
負荷制御装置３では、位相制御の基準となる交流電圧Ｖａｃのゼロクロス点を位相検出部３２が検出し、検出信号を制御回路３５に出力する。交流電圧Ｖａｃが負極性の半周期から正極性の半周期に移行する際には、第１検出部３２１がゼロクロス点を検出して、第１検出信号ＺＣ１を制御回路３５に出力する。交流電圧Ｖａｃが正極性の半周期から負極性の半周期に移行する際には、第２検出部３２２がゼロクロス点を検出して、第２検出信号ＺＣ２を制御回路３５に出力する。
【００５５】
まず、交流電圧Ｖａｃが正極性の半周期における負荷制御装置３の動作について説明する。制御回路３５は、交流電圧Ｖａｃの正極性の半周期では、半周期の始点から第１検出信号ＺＣ１が入力される時点まで双方向スイッチ３１を双方向オフ状態としており、この期間には交流電源５から負荷６への電力供給が断たれている。
【００５６】
制御回路３５は、交流電圧Ｖａｃの正極性の半周期では、第１検出信号ＺＣ１が入力された時点で双方向スイッチ３１を双方向オン状態にする。そして、制御回路３５は、第１検出信号ＺＣ１が入力された時点より調光レベルの設定値に応じた長さのオン時間が経過した時点で、双方向スイッチ３１を逆方向オン状態（非導通状態）にする。これにより、交流電圧Ｖａｃの正極性の半周期では、第１検出信号ＺＣ１が入力された時点よりオン時間が経過するまでの間、双方向スイッチ３１が双方向オン状態となり、交流電源５から負荷６に電力が供給される。そして、オン時間が経過すると、双方向スイッチ３１が非導通状態になる。
【００５７】
また、制御回路３５は、交流電圧Ｖａｃの半周期の終点よりも一定時間（例えば３００〔μｓ〕）だけ手前の時点で双方向スイッチ３１を双方向オフ状態とする。例えば、制御回路３５は、位相検出部３２がゼロクロス点を検出したタイミングに基づいて半周期の終点を推定し、この終点から一定時間だけ手前の時点で双方向スイッチ３１を双方向オフ状態とする。ここで、制御回路３５は、位相検出部３２でのゼロクロス点の検出タイミングより、交流電圧Ｖａｃの半周期の時間からゼロクロス検出時間を差し引いた時間が経過した時点を半周期の終点と推定すればよい。このゼロクロス検出時間は、半周期の始点より位相検出部３２がゼロクロス点を検出するまでにかかる時間である。
【００５８】
これにより、交流電圧Ｖａｃの半周期の終点よりも一定時間だけ手前の時点から半周期の終点までの期間には、スイッチ素子Ｑ１，Ｑ２がいずれもオフになり、双方向スイッチ３１が双方向オフ状態（非導通状態）となる。
【００５９】
交流電圧Ｖａｃが負極性の半周期における負荷制御装置３の動作は、正極性の半周期と基本的に同様の動作となるので、その説明は省略する。本実施形態の負荷制御装置３は、正極性の半周期の動作と負極性の半周期の動作とを交流電圧Ｖａｃの半周期毎に交互に繰り返すことで、負荷６の調光を行う。
【００６０】
また、制御回路３５は、負荷６を点灯させる場合、子器駆動回路３８のスイッチ素子Ｑ３をオフにする。スイッチ素子Ｑ３がオフになると、発光ダイオード１５に電流が流れないので、負荷６の点灯時には表示装置１の発光ダイオード１５が消灯する。
【００６１】
また、負荷制御装置３は、双方向スイッチ３１が非導通状態にあるこれらの期間を用いて、交流電源５から電源部３４への電力供給を確保する。
【００６２】
上述のように、本実施形態の表示装置１では、接続端子部１１，１２間に印加される電圧を、抵抗器１４及び発光ダイオード１５の合成インピーダンスと、抵抗器１３のインピーダンスとで分圧し、コンデンサ１７で平滑している。コンデンサ１７の両端電圧がツェナーダイオード１６のツェナー電圧を超えると、ツェナーダイオード１６がオンになるので、コンデンサ１７の両端電圧がツェナーダイオード１６のツェナー電圧にクランプされる。そして、発光ダイオード１５には、コンデンサ１７の両端電圧と抵抗器１４の抵抗値とで電流値が設定される電流が流れる。
【００６３】
したがって、表示装置１では、抵抗器１３，１４の分圧回路とツェナーダイオード１６とで、コンデンサ１７の両端電圧をツェナー電圧以下に制限できる。したがって、コンデンサ１７の両端電圧の最大値が変動することによって、発光ダイオード１５の光出力の変化を低減できる。また、発光ダイオード１５のフリッカの発生を抑制することもできる。また、接続端子部１１，１２間に雷サージや静電気などで高電圧が印加された場合でも、抵抗器１３，１４の分圧回路とツェナーダイオード１６とで、発光ダイオード１５に印加される電圧が制限されるから、発光ダイオード１５を保護できる。
【００６４】
また、表示装置１では、発光ダイオード１５に流れる電流の電流値は、コンデンサ１７の両端電圧と抵抗器１４の抵抗値とで設定されている。したがって、コンデンサ１７の両端電圧がツェナー電圧に制限されている状態では、発光ダイオード１５に一定の電流値の電流を流すことができ、発光ダイオード１５の光出力の変化を低減できる。また、発光ダイオード１５のフリッカの発生を抑制することもできる。
【００６５】
また、表示装置１では、抵抗器１４及び発光ダイオード１５の直列回路と並列接続されたコンデンサ１７によって、発光ダイオード１５に電流が流れる点灯期間のばらつきが抑制されるので、発光ダイオード１５の光出力の変化を低減できる。
【００６６】
また、本実施形態の負荷制御装置３の制御方式は、交流電圧Ｖａｃの半周期のゼロクロス点から半周期の途中までの期間に入力端子Ｔ３１，Ｔ３２間が導通する逆位相制御方式（トレーリングエッジ方式）である。逆位相制御方式は、光源としてのＬＥＤ素子を備えた負荷６に、ゼロクロス点から電力供給を開始するため、電力供給開始時の電流波形歪みを小さく抑えることができる。これにより、負荷制御装置３に接続可能な負荷６の数（灯数）が増えたり、うなり音の発生を抑制できたりする利点がある。
【００６７】
（１．４）実施形態１の変形例
実施形態１の表示装置１では、ツェナーダイオード１６のツェナー電圧が約５Ｖであるが、発光ダイオード１５の順方向電圧よりも高い電圧であればよい。ただし、ツェナー電圧が高いほどツェナーダイオード１６が大型になるため、ツェナーダイオード１６のツェナー電圧は数ボルトから十数ボルトの範囲で設計されるのが好ましい。
【００６８】
実施形態１の表示装置１では、抵抗器１３の抵抗値が約４７０ｋΩ、抵抗器１４の抵抗値が約３０ｋΩであるが、抵抗器１３，１４の抵抗値はこれに限定されない。抵抗器１４と発光ダイオード１５との両端電圧がツェナーダイオード１６のツェナー電圧よりも高くなるように抵抗器１３，１４の抵抗値が設計されていればよい。例えば、抵抗器１３の抵抗値が２００ｋΩ以上かつ１．５ＭΩ以下となり、抵抗器１４の抵抗値が１５ｋΩ以上かつ６０ｋΩ以下となるように、抵抗器１３，１４の抵抗値が適宜設計されていればよい。
【００６９】
実施形態１の表示装置１では、コンデンサ１７の静電容量は約１μＦであるが、コンデンサ１７の静電容量はこれに限定されない。発光ダイオード１５は交流電圧Ｖａｃの１周期毎に。コンデンサ１７の両端電圧が発光ダイオード１５の順方向電圧を超える点灯期間だけ点灯しており、この点灯期間がばらつくことによっても、発光ダイオード１５の出力光の見かけの明るさが変動する。本実施形態では、抵抗器１４と発光ダイオード１５との直列回路と並列に接続されたコンデンサ１７によって点灯期間のばらつきを抑制することができるが、コンデンサ１７の静電容量が大きいほどコンデンサ１７は大型化するため、コンデンサ１７の静電容量は０．１μＦ〜数十μＦ程度に設計されるのが好ましい。
【００７０】
実施形態１の表示装置１では、第１抵抗要素が１個の抵抗器１３で構成されているが、第１抵抗要素は電気的に直列又は並列に接続された２以上の抵抗器で構成されてもよい。同様に、第２抵抗要素が１個の抵抗器１４で構成されているが、第２抵抗要素は電気的に直列又は並列に接続された２以上の抵抗器で構成されてもよい。
【００７１】
実施形態１の表示装置１では、固体光源が発光ダイオード１５で構成されており、光源がネオンランプである場合に比べて消費電力を低減できる。本実施形態では固体光源は１個の発光ダイオード１５で構成されているが、固体光源は複数個の発光ダイオードで構成されてもよい。実施形態１では発光ダイオード１５は白色発光の発光ダイオードであるが、発光ダイオード１５の発光色は白色に限定されず、赤色、緑色、青色などでもよい。また、固体光源は発光ダイオードに限定されず、有機ＥＬ（Organic Electro Luminescence）、半導体レーザなどでもよい。
【００７２】
実施形態１の表示装置１では、容量素子が１個のコンデンサ１７で構成されているが、容量素子は、電気的に直列又は並列に接続された２以上のコンデンサで構成されてもよい。
【００７３】
実施形態１の負荷制御装置３の制御方式には、逆位相制御方式（トレーリングエッジ方式）の他、交流電圧Ｖａｃの半周期の途中からゼロクロス点までの期間に一対の入力端子Ｔ３１，Ｔ３２間が導通する、正位相制御方式（リーディングエッジ方式）がある。また、実施形態１の負荷制御装置３の制御方式には、正位相制御方式及び逆位相制御方式のいずれにも対応可能なユニバーサル制御方式もある。
【００７４】
（２）実施形態２
実施形態２に係る表示装置１Ａを図２に基づいて説明する。本実施形態の表示装置１Ａは、交流電源５と負荷（例えば照明負荷）６とに電気的に直列に接続されるスイッチ装置と組み合わせて使用される。
【００７５】
（２．１）表示装置の構成
本実施形態の表示装置１Ａは、実施形態１で説明した表示装置１と構成が共通するので、共通する部分についは説明を省略する。表示装置１Ａは、一対の接続端子部１１，１２と、抵抗器１３，１４と、発光ダイオード１５と、ツェナーダイオード１６と、を備えている。また、表示装置１Ａは、コンデンサ１７と、ダイオード１８と、を更に備えている。
【００７６】
一対の接続端子部１１，１２は、スイッチ装置４の両端に電気的に接続される。スイッチ装置４は、ユーザによる操作に応じてオン又はオフになる接点４１を備えている。この接点４１は、交流電源５と照明負荷６とに電気的に直列に接続されている。
【００７７】
（２．２）表示装置の動作
例えばユーザの操作に応じて接点４１がオンになると、接点４１を介して負荷６に電流が流れ、負荷６が点灯する。接点４１がオンになると、接続端子部１１，１２の間が接点４１を介して短絡されるから、発光ダイオード１５には電流が流れず、発光ダイオード１５は消灯する。
【００７８】
ユーザの操作に応じて接点４１がオフになると、負荷６の内部抵抗を介して表示装置１Ａに電圧が印加され、表示装置１Ａの発光ダイオード１５が点灯する。ここで、表示装置１Ａの抵抗器１３，１４の抵抗値は、接点４１のオフ時に負荷６に流れる電流の電流値が負荷６が点灯するのに必要な電流値よりも小さくなるような抵抗値に設定されているので、負荷６は消灯する。
【００７９】
接点４１のオフ時には、接続端子部１１，１２間には、負荷６の内部抵抗と、表示装置１Ａの内部抵抗との比率で定まる分圧比に応じた交流電圧が印加される。接続端子部１１，１２間に印加される交流電圧は、ダイオード１８によって整流された後、抵抗器１３と抵抗器１４とで分圧され、コンデンサ１７によって平滑される。抵抗器１４と発光ダイオード１５との直列回路の両端間に発生する電圧、つまりコンデンサ１７の両端電圧がツェナーダイオード１６のツェナー電圧を超えると、ツェナーダイオード１６がオンになる。これにより、抵抗器１４と発光ダイオード１５との直列回路の両端電圧の最大値がツェナーダイオード１６のツェナー電圧にクランプされる。そして、発光ダイオード１５には、ツェナーダイオード１６のツェナー電圧と、抵抗器１４の抵抗値とで決まる一定電流が流れ、発光ダイオード１５が発光する。
【００８０】
したがって、交流電源５の交流電圧の１周期毎に、コンデンサ１７の両端電圧が発光ダイオード１５の順方向電圧を超える期間（以下、この期間を通電期間という。）だけ、発光ダイオード１５に電流が流れて、発光ダイオード１５が点灯する。すなわち、発光ダイオード１５は、交流電源５の電源電圧の１周期毎に点滅するのであるが、人の目の時間分解能よりも短い周期で点滅するため、人の目には発光ダイオード１５が点滅しているとは認識されない。
【００８１】
このように本実施形態の表示装置１Ａでは、接続端子部１１，１２間に印加される交流電圧を抵抗器１３，１４で分圧した後、コンデンサＣ１で平滑し、ツェナーダイオード１６によって一定電圧にクランプしている。そして、発光ダイオード１５には、コンデンサ１７の両端電圧と抵抗器１４の抵抗値とで決まる一定電流を流しているので、発光ダイオード１５の光出力の変化が低減され、フリッカの発生を抑制できる。また、コンデンサ１７の両端電圧がツェナーダイオード１６のツェナー電圧でクランプされるので、コンデンサ１７の両端電圧の変動を抑制でき、発光ダイオード１５の出力光の明るさの変動を低減できる。
【００８２】
なお、実施形態２で説明した構成は、実施形態１で説明した構成（変形例を含む）と適宜組み合わせて適用である。
【００８３】
（３）実施形態３
実施形態２に係るスイッチ装置を図面に基づいて説明する。
【００８４】
（３．１）スイッチ装置の構成
本実施形態のスイッチ装置４Ａについて図３を参照して説明する。
【００８５】
スイッチ装置４Ａは、一対の入力端子Ｔ４１，Ｔ４２と、接点４２と、表示装置１Ｂとを備えている。
【００８６】
入力端子Ｔ４１，Ｔ４２の間には、交流電源５と負荷６とが電気的に直列に接続される。
【００８７】
接点４２は、入力端子Ｔ４１，Ｔ４２の間に電気的に接続されている。接点４２は、ユーザによる操作に応じてオン又はオフになる。
【００８８】
表示装置１Ｂは、実施形態１，２で説明した表示装置１，１Ａと構成が共通するので、共通する部分についは説明を省略する。表示装置１Ｂは、一対の接続端子部１１，１２と、抵抗器１３，１４と、発光ダイオード１５と、ツェナーダイオード１６と、コンデンサ１７と、ダイオード１８と、を備えている。表示装置１Ｂは、接点４２の両端間に電気的に接続されている。すなわち、接点４２の両端に接続端子部１１，１２がそれぞれ電気的に接続されている。
【００８９】
（３．２）スイッチ装置の動作
接点４２がユーザによる操作に応じてオンになると、負荷６が点灯する。接点４２がオンの状態では、接続端子部１１，１２の間が接点４２を介して短絡されるので、発光ダイオード１５に電流が流れず、発光ダイオード１５は消灯している。
【００９０】
接点４２がユーザによる操作に応じてオフになると、負荷６の内部抵抗を介して表示装置１Ｂに電圧が印加され、表示装置１Ｂの発光ダイオード１５が点灯する。ここで、表示装置１Ｂの抵抗器１３，１４の抵抗値は、接点４２のオフ時に負荷６に流れる電流の電流値が負荷６が点灯するのに必要な電流値よりも小さくなるような抵抗値に設定されているので、負荷６は消灯する。
【００９１】
（３．３）変形例
上記の実施形態では、実施形態１，２で説明した表示装置１，１Ａを片切スイッチに適用しているが、実施形態１，２で説明した表示装置１，１Ａは三路スイッチにも適用可能である。
【００９２】
図４は、三路スイッチである２個のスイッチ装置４Ｂ，４Ｃを用いたスイッチシステムのシステム構成図である。
【００９３】
スイッチ装置４Ｂ，４Ｃは共通の構成を有しているので、スイッチ装置４Ｂについて説明し、スイッチ装置４Ｃについては説明を省略する。
【００９４】
スイッチ装置４Ｂは、第１端子Ｔ５１と、第２端子Ｔ５２と、第３端子Ｔ５３と、接点４３と、表示装置１Ｂとを備えている。
【００９５】
接点４３は３路タイプの接点である。接点４３の共通端子は第１端子Ｔ５１に電気的に接続されている。接点４３の一対の切替端子は、それぞれ第２端子Ｔ５２，第３端子Ｔ５３に電気的に接続されている。
【００９６】
表示装置１Ｂは、接点４３の一対の切替端子の間、すなわち第２端子Ｔ５２と第３端子Ｔ５３との間に電気的に接続されている。表示装置１Ｂは、実施形態１で説明した表示装置１と構成が共通するので、共通する部分についは説明を省略する。表示装置１Ｂは、一対の接続端子部１１，１２と、抵抗器１３，１４と、発光ダイオード１５と、ツェナーダイオード１６と、コンデンサ１７と、ダイオード１８と、を備えている。一対の接続端子部１１，１２は、接点４３の一対の切替端子にそれぞれ電気的に接続されている。すなわち、接続端子部１１は第２端子Ｔ５２に電気的に接続され、接続端子部１２は第３端子Ｔ５３に電気的に接続されている。
【００９７】
図４は、スイッチ装置４Ｂ，４Ｃを用いて同一の負荷６を点灯又は消灯させるスイッチシステムの一例である。例えば、スイッチ装置４Ｂ，４Ｃは廊下の壁において離れた場所に設置され、廊下に設置された負荷６を点灯又は消灯するために用いられる。
【００９８】
スイッチ装置４Ｂの第１端子Ｔ５１と、スイッチ装置４Ｃの第１端子Ｔ５１との間には、交流電源５と負荷６とが電気的に直列に接続されている。スイッチ装置４Ｂの第２端子Ｔ５２及び第３端子Ｔ５３は、スイッチ装置４Ｃの第２端子Ｔ５２及び第３端子Ｔ５３にそれぞれ電気的に接続されている。
【００９９】
このスイッチシステムの動作について説明する。
【０１００】
スイッチ装置４Ｂ，４Ｃの各々で接点４３が第２端子Ｔ５２に電気的に接続された状態、又は、スイッチ装置４Ｂ，４Ｃの各々で接点４３が第３端子Ｔ５３に電気的に接続された状態では、負荷６が点灯可能な電流が負荷６に流れて、負荷６が点灯する。負荷６の点灯時には、スイッチ装置４Ｂ，４Ｃの各々において、表示装置１Ｂの発光ダイオード１５は消灯する。
【０１０１】
負荷６の点灯時にスイッチ装置４Ｂ，４Ｃのいずれかでユーザの操作に応じて接点４３が切り替わると、スイッチ装置４Ｂ，４Ｃの一方では接点４３が第２端子Ｔ５２に接続され、スイッチ装置４Ｂ，４Ｃの他方では接点４３が第３端子Ｔ５３に接続される。このとき、スイッチ装置４Ｂ，４Ｃの各々では、表示装置１Ｂの接続端子部１１，１２の間に負荷６を介して交流電源５の交流電圧が印加されるので、表示装置１Ｂの発光ダイオード１５が点灯する。この時、負荷６には、表示装置１Ｂの内部抵抗（抵抗器１３，１４）によって負荷６が点灯可能な電流が流れず、負荷６は消灯する。
【０１０２】
上記の変形例では、スイッチ装置４Ｂ，４Ｃは三路スイッチ構成のスイッチ装置であるが、スイッチ装置は四路スイッチ構成でもよい。
【０１０３】
なお、実施形態３で説明した構成（変形例を含む）は、実施形態１又は２で説明した構成（変形例を含む）と適宜組み合わせて適用である。
【０１０４】
（４）まとめ
以上説明したように、第１の態様の表示装置１，１Ａ，１Ｂは、一対の接続端子部１１，１２と、第１抵抗要素（抵抗器１３）と、第２抵抗要素（抵抗器１４）と、固体光源（発光ダイオード１５）と、ツェナーダイオード１６と、を備える。一対の接続端子部１１，１２は、交流電源５と負荷６とに電気的に直列に接続されるスイッチ（双方向スイッチ３１、接点４１〜４３）のオフ時に所定電圧が印加される。第１抵抗要素、第２抵抗要素、及び固体光源の直列回路は、一対の接続端子部の間に電気的に接続される。ツェナーダイオード１６は、第２抵抗要素及び固体光源の直列回路と電気的に並列に接続される。
【０１０５】
第１の態様によれば、スイッチのオフ時において第１抵抗要素、第２抵抗要素、及び固体光源の直列回路には所定電圧が印加され、第２抵抗要素及び固体光源の直列回路には第１抵抗要素と第２抵抗要素との抵抗比で所定電圧を分圧した電圧が印加される。そして、第２抵抗要素及び固体光源の直列回路に印加される電圧はツェナーダイオード１６のツェナー電圧に制限されるから、第２抵抗要素及び固体光源の直列回路に印加される電圧の変化を低減できる。したがって、固体光源に流れる電流の変化を低減でき、固体光源の光出力の変化を低減できる。
【０１０６】
第２の態様の表示装置１，１Ａ，１Ｂでは、第１の態様において、固体光源は発光ダイオード１５であり、ツェナーダイオード１６のアノードが、発光ダイオード１５のカソードと電気的に接続される。
【０１０７】
第２の態様によれば、固体光源は発光ダイオードであるから、光源がネオンランプである場合に比べて消費電力を低減できる。
【０１０８】
第３の態様の表示装置１，１Ａ，１Ｂでは、第１又は第２の態様において、所定電圧は、第２抵抗要素及び固体光源の直列回路に、ツェナーダイオード１６のツェナー電圧よりも高い電圧が印加されるような電圧値である。
【０１０９】
第３の態様によれば、一対の接続端子部１１，１２に所定電圧が印加されることで第２抵抗要素及び固体光源の直列回路にツェナー電圧よりも高い電圧が印加されるので、第２抵抗要素及び固体光源の直列回路に印加される電圧がツェナー電圧に制限される。したがって、第２抵抗要素及び固体光源の直列回路に印加される電圧の変化を低減できるので、固体光源に流れる電流の変化を低減でき、固体光源の光出力の変化を低減できる。
【０１１０】
第４の態様の表示装置１，１Ａ，１Ｂでは、第１〜第３のいずれかの態様において、ツェナーダイオード１６と電気的に並列に接続される容量素子（コンデンサ１７）を、更に備える。
【０１１１】
第４の態様によれば、交流電源の交流電圧の位相によって接続端子部１１，１２間に印加される電圧が低下すると、容量素子から固体光源に電流が供給されるので、固体光源に電流が流れる通電時間のばらつきが抑制される。したがって、固体光源が発光する時間のばらつきが低減されるので、固体光源の出力光のフリッカを低減できる。
【０１１２】
第５の態様の表示装置１，１Ａ，１Ｂでは、第１〜第４のいずれかの態様において、第２抵抗要素及び固体光源の直列回路にツェナーダイオード１６のツェナー電圧よりも高い電圧が印加されるように、第１抵抗要素と第２抵抗要素との抵抗比が設定される。
【０１１３】
第５の態様によれば、接続端子部１１，１２に所定電圧が印加されることによって、第２抵抗要素及び固体光源の直列回路にツェナー電圧よりも高い電圧が印加されるので、第２抵抗要素及び固体光源の直列回路に印加される電圧の変化を低減できる。したがって、固体光源に流れる電流の変化を低減でき、固体光源の光出力の変化を低減できる。
【０１１４】
第６の態様の表示装置１，１Ａ，１Ｂでは、第５の態様において、固体光源に流れる電流の電流値が、ツェナーダイオード１６のツェナー電圧と第２抵抗要素の抵抗値とで設定される。
【０１１５】
第６の態様によれば、固体光源に流れる電流の電流値が一定のツェナー電圧と第２抵抗要素の抵抗値とで設定されるので、固体光源に流れる電流の変化が低減され、固体光源の光出力の変化を低減できる。
【０１１６】
第７の態様のスイッチ装置４Ａ，４Ｂは、第１〜第６のいずれかの態様の表示装置１Ａ，１Ｂと、スイッチ（接点４２，４３）とを備え、スイッチの両端が一対の接続端子部１１，１２に電気的に接続されており、負荷６の停止時に固体光源が点灯する。
【０１１７】
第７の態様によれば、固体光源の光出力の変化を低減した表示装置１Ａ，１Ｂを備えるスイッチ装置を提供できる。
【０１１８】
第８の態様のスイッチシステム１００は、第１〜第６のいずれかの態様の表示装置１を備えた子器２と、交流電源５と負荷６とに電気的に直列に接続されるスイッチ（双方向スイッチ３１）を備えた親器（負荷制御装置３）と、を含む。親器は、一対の接続端子部１１，１２に電気的に接続されてスイッチのオフ時に一対の接続端子部１１，１２に所定電圧を印加する子器駆動回路３８を備える。
【０１１９】
第８の態様によれば、固体光源の光出力の変化を低減した表示装置１Ａ，１Ｂを備えるスイッチシステムを提供できる。
【符号の説明】
【０１２０】
１  表示装置
２  子器
３  負荷制御装置（親器）
４，４Ａ，４Ｂ，４Ｃ  スイッチ装置
５  交流電源
６  負荷
１１，１２  接続端子部
１３  抵抗器（第１抵抗要素）
１４  抵抗器（第２抵抗要素）
１５  発光ダイオード（固体光源）
１６  ツェナーダイオード
１７  コンデンサ（容量素子）
３１  双方向スイッチ（スイッチ）
３８  子器駆動回路
４１，４２，４３  接点（スイッチ）
１００  スイッチシステム
【図１】
2018107052.tif 000003
【図２】
2018107052.tif 000004
【図３】
2018107052.tif 000005
【図４】
2018107052.tif 000006